(57)【特許請求の範囲】
【請求項１】
折板屋根材と、
前記折板屋根材の上方で前記折板屋根材に対して固定されるビス保持板と、
前記ビス保持板の上方に設けた断熱材と、
防水シート固定ビスによって前記断熱材の上方に固定される防水シートと、を備え、
前記防水シート固定ビスが、前記折板屋根材を貫通することなく、前記断熱材を貫通して前記ビス保持板に固定され、
前記ビス保持板が、前記断熱材を貫通せずに前記ビス保持板を貫通して前記折板屋根材の山部に固定される板材固定ビスによって、前記折板屋根材に対して固定されていることを特徴とする折板屋根構造。
【請求項２】
前記防水シート固定ビスの先端部が、前記折板屋根材の谷部と前記ビス保持板との間に形成される谷部内空間に位置する、請求項１に記載の折板屋根構造。
【発明の詳細な説明】
【技術分野】
【０００１】
本発明は、金属製の折板屋根材に断熱材を設けた折板屋根構造に関する。
【背景技術】
【０００２】
従来、例えば住宅、工場、体育館、店舗、倉庫などの建物の屋根材として、金属製の板材を折り曲げ加工して交互に繰返される山部と谷部を形成した折板屋根材を用いた屋根構造が知られている。
【０００３】
このような折板屋根構造を備える建物において断熱性を高めるため、折板屋根材の下方（屋内側）に断熱材を配置する内断熱工法が知られているが、この内断熱工法は、屋内側の躯体表面に結露が発生し易いという問題があった。
【０００４】
このような結露の発生を低減するため、折板屋根材の上方（屋外側）に断熱材を配置し、さらに防水性を確保するために断熱材の上方に防水シートを配置した外断熱工法が行われている（特許文献１参照）。防水シートを固定する工法としては、いわゆる機械的固定工法が用いられている。これは、断熱材の上方に載置した板状の固定具を、当該固定具及び断熱材を貫通させるとともに折板屋根材に螺合させた固定用ビスで固定し、当該固定具の上面と防水シートの下面を接着等により固定するものである。
【先行技術文献】
【特許文献】
【０００５】
【特許文献１】特開２０１５−１１３６３７号公報
【発明の概要】
【発明が解決しようとする課題】
【０００６】
しかしながら、上記の工法の場合、防水シートは固定具との接着部分を除いて上下に変位可能であり、風によって繰返し上下に脈動することがある。また、折板屋根材の板厚は比較的薄いため、折板屋根材とビスの螺合部分の摩擦による保持力が十分ではなく、上記のように防水シートが脈動すること等により、固定具及びビスを上方に引き上げる方向の力を繰り返し受けた結果、ビスが緩むことがあった。そして、ビスが緩み、ビスの頭部が固定具の上方に突出すると、防水シートに接触して防水シートが破れてしまう虞がある。
【０００７】
また、固定用ビスの頭部は防水シートを隔てて外気に近接しており、固定用ビスの先端部は折板屋根材の下面から屋内側に突出しているため、屋内の温度に比べて外気の温度が低い場合には、外気に近い固定用ビスの頭部側が冷却されて熱橋（ヒートブリッジ）となり、ビスの先端部に結露が生じることがある。そして、ビスの先端部に生じた結露が天井面に滴下することにより、カビやシミ等が生じる原因となる虞があった。
【０００８】
それゆえ本発明は、防水シートを固定するための防水シート固定ビスを緩み難くするとともに、当該防水シート固定ビスにおける結露の発生を低減し、結露が発生した場合でも折板屋根材の下方に位置する天井面への滴下を抑制可能な、折板屋根構造を提供することを目的とする。
【課題を解決するための手段】
【０００９】
本発明は、上記課題を解決するためになされたものであり、本発明の折板屋根構造は、折板屋根材と、
前記折板屋根材の上方で前記折板屋根材に対して固定されるビス保持板と、
前記ビス保持板の上方に設けた断熱材と、
防水シート固定ビスによって前記断熱材の上方に固定される防水シートと、を備え、
前記防水シート固定ビスが、前記折板屋根材を貫通することなく、前記断熱材を貫通して前記ビス保持板に固定されていることを特徴とするものである。
【００１０】
また、本発明の折板屋根構造にあっては、前記防水シート固定ビスの先端部が、前記折板屋根材の谷部と前記ビス保持板との間に形成される谷部内空間に位置することが好ましい。
【００１１】
また、本発明の折板屋根構造にあっては、前記ビス保持板が、前記断熱材を貫通せずに前記ビス保持板を貫通して前記折板屋根材に固定される板材固定ビスによって、前記折板屋根材に対して固定されていることが好ましい。
【００１２】
また、本発明の折板屋根構造にあっては、前記板材固定ビスが、前記折板屋根材の山部に固定されていることが好ましい。
【発明の効果】
【００１３】
本発明によれば、防水シートを固定するための防水シート固定ビスを緩み難くするとともに、当該防水シート固定ビスにおける結露の発生を低減し、結露が発生した場合でも折板屋根材の下方に位置する天井面への滴下を抑制可能な、折板屋根構造を提供することが可能となる。
【図面の簡単な説明】
【００１４】
【図１】本発明に係る折板屋根構造の一実施形態を示す断面図である。
【発明を実施するための形態】
【００１５】
以下、図面を参照しつつ、本発明に係る折板屋根構造の一実施形態について詳細に説明する。図１は、本実施形態の折板屋根構造１を断面で示したものであり、折板屋根構造１は、折板屋根材２の上方に積層配置されたビス保持板３、断熱材４、及び防水シート５を備える。なお、図示例において、折板屋根材２の下方が屋内側であり、防水シート５の上方が屋外側である。
【００１６】
ここで、本発明を適用可能な建物（図示省略）は、例えば、鉄骨造の軸組みを有する２階建ての工業化住宅であり、地盤に立設された鉄筋コンクリート造の基礎構造体と、柱や梁などの構造部材で構成された軸組架構を有し、基礎構造体に固定された上部構造体と、を備える。なお、上部構造体の架構を構成する構造部材は、予め規格化（標準化）されたものである。従って、構造部材は工場にて製造され、建築現場にて上部構造体の架構が組み立てられる。
【００１７】
折板屋根材２は、例えば板厚が１ｍｍ〜１．６ｍｍの金属製の板材を、山部２ａと谷部２ｂが交互に繰返し形成された形状に折り曲げ加工したものである。なお、折板屋根材２の山部２ａと谷部２ｂの形状、板厚等は特に限定されず、任意の形状の折板を採用可能である。なお、山部２ａの上面と谷部２ｂの下面の上下方向（鉛直方向）の距離は、例えば、７５ｍｍ〜１５０ｍｍとすることができるが、これに限定されるものではない。折板屋根材２は、建物の躯体（図示省略）に直接、または、他の接続部材を介して間接的に連結されて支持される。
【００１８】
ビス保持板３は、折板屋根材２の上方に配置され、折板屋根材２に対して固定されるものである。ビス保持板３は、防水シート固定ビス７を螺合して固定する際に十分な保持力を有するものであれば、厚さや材料は特に限定されるものではなく、１枚の板でもよいし、複数枚の板を積層したものでもよい。ビス保持板３は、例えば、板厚が１２ｍｍ〜１８ｍｍの木毛セメント板、木片セメント板、合板等とすることができる。また、ビス保持板３は、耐火性及び耐久性に優れていることが好ましく、このような観点から、本実施形態では木毛セメント板としている。
【００１９】
本実施形態において、ビス保持板３は、折板屋根材２の山部２ａ上面に載置され、複数の板材固定ビス６によって固定されているが、これに限定されず、接着等の手段により固定することも可能である。
【００２０】
板材固定ビス６は、断熱材４を貫通せずにビス保持板３を貫通して折板屋根材２の山部２ａに螺合している。板材固定ビス６は、ビス保持板３を折板屋根材２に対して十分な保持力で固定することができるように、適切な間隔で複数個所に配置される。板材固定ビス６は、例えばセルフタッピングねじとすることができるが、特に限定されるものではない。板材固定ビス６を、折板屋根材２の山部２ａに固定することで、折板屋根材２の谷部２ｂに固定する場合に比べて長さの短い板材固定ビス６を使用することができる。
【００２１】
断熱材４は、ビス保持板３の上方、且つ防水シート５の下方に配置される。断熱材４は、例えば、フェノールフォーム、ポリスチレンフォーム、ポリエチレンフォーム等を板状に成形した発泡プラスチック系の部材とすることができ、厚さは、６０ｍｍ〜７０ｍｍとすることができるが、材料や厚さは特に限定されず、複数の板状部材を積層配置してもよい。
【００２２】
防水シート５は、ポリ塩化ビニルからなるシート状の部材とすることができるが、材料は特に限定されるものではなく、防水機能を有する任意の材料からなるシート状部材を採用することができる。
【００２３】
本実施形態では、図１に示すように、断熱材４と防水シート５の間に補強板８を配置している。補強板８は、折板屋根構造１を補強するための構成であり、軟らかい断熱材４の上部に補強板８を設けることで、折板屋根構造１の上を歩行可能な仕様とすることができるが、補強板８は本発明において必須の構成ではない。補強板８は、例えば厚さが６ｍｍ程度の不燃板やインシュレーションボード等とすることができ、補強板８の上方もしくは下方にさらに他の板状部材を配置することも可能である。
【００２４】
補強板８の上方には、防水シート５を固定するための複数の固定具９が所定の間隔で配置されている。固定具９は、例えば、中央に防水シート固定ビス７を貫通させる孔が設けられた金属製や樹脂製の円板状の部材とすることができるが、形状や厚さは特に限定されない。固定具９は、当該固定具９、補強板８及び断熱材４を貫通してビス保持板３に螺合する防水シート固定ビス７により、ビス保持板３に固定されている。固定具９の上面に防水シート５の下面を接着等により固定することにより、防水シート５をビス保持板３に固定することができる。
【００２５】
防水シート固定ビス７は、折板屋根材２を貫通しておらず、防水シート固定ビス７の先端部７ａは、折板屋根材２の谷部２ｂとビス保持板３の間に形成された谷部内空間Ｓに位置している。なお、防水シート固定ビス７は、折板屋根材２を貫通していなければ、折板屋根材２に接触していてもよいが、好適には、折板屋根材２から離間していることが好ましい。
【００２６】
また、防水シート固定ビス７は、ビス保持板３を貫通せずにビス保持板３の内部で停止する構成としてもよい。
【００２７】
以上のような構成を有する本実施形態の折板屋根構造１にあっては、防水シート５を固定する防水シート固定ビス７を、折板屋根材２よりもビス保持力の高いビス保持板３に固定したことにより、防水シート固定ビス７を抜け難くすることができる。これにより、防水シート５が風によって繰返し上下に脈動して、防水シート固定ビス７に引き上げ方向の力が繰返し加えられた場合でも、防水シート固定ビス７が固定具９の上方に突き出し難いため、防水シート５が破れる虞を低減することができる。
【００２８】
また、防水シート固定ビス７が折板屋根材２を貫通しない構成としているため、先端部７ａに仮に結露が発生した場合でも、折板屋根材２の上面に滴下するのみであるから、折板屋根材２の（屋内側）の天井面に滴下することがなく、当該天井面にカビやシミが発生することを抑制することができる。なお、板材固定ビス６は、断熱材４を貫通していないため熱橋となり難く、板材固定ビス６での結露の発生も抑制される。
【００２９】
また、防水シート固定ビス７の先端部７ａを、折板屋根材２の谷部２ｂに配置することにより、折板屋根材２に接触し難くすることができる。すなわち、防水シート固定ビス７を折板屋根材２の谷部２ｂに向けて打ち込めば、容易に、折板屋根材２を貫通させずにビス保持板３に固定することができる。
【００３０】
なお、本実施形態の折板屋根構造１は、折板屋根材２に対してビス保持板３を板材固定ビス６で固定し、次いで断熱材４、補強板８を積層配置して、固定具９の上から防水シート固定ビス７を打ち込んでビス保持板３に固定し、さらに固定具９の上面に防水シート５を接着したものをユニットとして工場内で形成することができる。このようにすれば、建築現場にて建物の躯体に結合することで、建築現場での作業効率を高めることができる。
【００３１】
以上、図示例に基づき説明したが、本発明は上述の実施形態に限定されるものでなく、特許請求の範囲の記載範囲内で適宜変更することができるものであり、例えば、折板屋根材２とビス保持板３の間、ビス保持板３と断熱材４の間、又は断熱材４と防水シート５の間、等に他の部材を配置することも可能である。
【符号の説明】
【００３２】
１    折板屋根構造
２    折板屋根材
２ａ  山部
２ｂ  谷部
３    ビス保持板
４    断熱材
５    防水シート
６    板材固定ビス
７    防水シート固定ビス
７ａ  先端部
８    補強板
９    固定具
Ｓ    谷部内空間
【図１】
0006689593.tif 000002